(57)【要約】【課題】高く段積みした場合に、陳列時のディスプレイ効果を期待でき、かつ、十分な通風性を確保できるダンボールケースを提供する。【解決手段】全体がフラットな長方形の底壁２と、底壁の左右方向および前後方向の４辺より立ち上がり、隣接する側縁同士が連結されると共に、それぞれ互いに対向する一対の左右側壁３および一対の前後側壁４と、一対の左右側壁の各上縁に設けられ、ケースを段積みしたとき、上側のケースとの間に通風用の隙間を確保する幅広の切欠７と、一対の前後側壁の各下縁に切欠形成された開口部６と、一対の前後側壁の各上縁に設けられ、ケースを段積みしたときに、上側のケースの開口部に係合する突片５とを具備し、開口部と突片とが、各前後側壁の下縁と上縁の長さ方向に間隔をおいてそれぞれ複数個設けられ、開口部が、該開口部に突片が下側から係合している状態で、通風可能な隙間を突片の上側に確保できる高さ寸法に形成されている。【選択図】図２
2009280266.tif 000002
【特許請求の範囲】
【請求項１】
全体がフラットな長方形の底壁と、
該長方形の底壁の左右方向および前後方向の４辺より立ち上がり、隣接する側縁同士が連結されると共に、それぞれ互いに対向する一対の左右側壁および一対の前後側壁と、
前記一対の前後側壁の各下縁に切欠形成された開口部と、
前記一対の前後側壁の各上縁に設けられ、ケースを段積みしたときに、上側のケースの開口部に係合する突片と、
を具備し、
前記一対の左右側壁の各上縁に、ケースを段積みしたとき、上側のケースとの間に通風用の隙間を確保するように、幅広の切欠が設けられていることを特徴とするダンボールケース。
【請求項２】
全体がフラットな長方形の底壁と、
該長方形の底壁の左右方向および前後方向の４辺より立ち上がり、隣接する側縁同士が連結されると共に、それぞれ互いに対向する一対の左右側壁および一対の前後側壁と、
前記一対の前後側壁の各下縁に切欠形成された開口部と、
前記一対の前後側壁の各上縁に設けられ、ケースを段積みしたときに、上側のケースの開口部に係合する突片と、
を具備し、
前記一対の左右側壁の各上縁の高さが、ケースを段積みしたとき、上側のケースとの間に通風用の隙間を確保するように、前記一対の前後側壁の上縁の高さよりも低く設定されていることを特徴とするダンボールケース。
【請求項３】
請求項１または２に記載のダンボールケースであって、
前記開口部と前記突片とが、前記各前後側壁の下縁と上縁の長さ方向に間隔をおいてそれぞれ複数個設けられており、前記開口部が、該開口部に前記突片が下側から係合している状態で、通風可能な隙間を突片の上側に確保できる高さ寸法に形成されていることを特徴とするダンボールケース。
【請求項４】
請求項１〜３のいずれか１項に記載のダンボールケースであって、
展開形状が、長方形の底板と、該底板の左右方向の対向辺に第１折り線を介して連設された一対の第１側板と、前記底板の前後方向の対向辺に第２折り線を介して連設された一対の第２側板と、前記第１側板の前後方向の両側縁に第３折り線を介して連設された第３側板と、前記第２側板の前後方向の外縁に小さな間隔で並ぶ２本の平行な第４および第５折り線を介して連設された第４側板と、を有し、且つ、前記各第１〜第４側板がそれぞれ略長方形状に形成されると共に、前記第３側板の第３折り線からの突出長さが、前記底板の前後方向の対向辺の長さの略半分以下の寸法に設定された型取り形状をなしており、
前記底板に対して、前記第１折り線で前記第１側板が内側に略直角に折り曲げられ、前記底板に対して、前記第２折り線で前記第２側板が内側に略直角に折り曲げられ、前記第１側板に対して、前記第３折り線で前記第３側板が内側に直角に折り曲げられることで、該第３側板が前記第２側板の内側に重ねられ、前記第２側板に対して、前記第４および第５折り線でそれぞれ同じ方向に直角に折り曲げられて、前記第４側板が内側に折り返されることにより、前記第４側板が、前記第３側板を挟んで、前記第２側板の内側に重ねられ、且つ、該第４側板の先端が前記底板の前記折り線に沿った凹部に係合され、
それにより、前記底板により前記底壁が構成され、前記第１側板により前記左右側壁が構成され、前記第２側板と前記第３側板と第４側板との重ね合わせにより前記前後側壁が構成され、
更に、前記第２側板と前記第４側板の連結部に前記第４および第５折り線に跨るコ字状の切れ込みが入れられ、第４側板が前記第２側板に対して折り返されることにより前記突片が形成され、
前記第２側板と第３側板と第４側板とに形成された切欠が重なることで前記開口部が形成され、
前記第４側板が前記第２側板に対して折り返されることにより、前記第４および第５折り線の間の部分が、前記前後側壁の上端に、前記底壁と平行な素材ダンボール板厚の略３倍の幅寸法を有した頂壁として確保されていることを特徴とするダンボールケース。
【請求項５】
請求項１〜４のいずれか１項に記載のダンボールケースであって、
前記前後側壁の左右上端角部に外側に下り傾斜した斜めカット部が設けられ、その斜めカット部の外端の高さに前記左右側壁の前後上端の位置が揃えられていることを特徴とするダンボールケース。
【発明の詳細な説明】
【技術分野】
【０００１】
本発明は、野菜や果物等の商品を収納した状態で、段積みして陳列することのできるダンボールケースに関するものである。
【背景技術】
【０００２】
野菜や果物等の商品を収容するものとして、ダンボール箱やコンテナケース等が広く用いられている（例えば、特許文献１参照）。
【特許文献１】実開平６−５１１３０号公報
【発明の開示】
【発明が解決しようとする課題】
【０００３】
しかし、従来のものは、高く段積みした場合に、崩れやすかったり、通風性が悪くなったりするため、使い勝手がよくなかった。また、陳列時のディスプレイ効果も高くなかった。
【０００４】
本発明は、上記事情を考慮してなされたもので、高く段積みした場合にも、高い安定性を維持することができて、崩れにくく、しかも、陳列時のディスプレイ効果を期待できると共に、十分な通風性を確保することのできるダンボールケースを提供することを目的とする。
【課題を解決するための手段】
【０００５】
請求項１の発明のダンボールケースは、全体がフラットな長方形の底壁と、該長方形の底壁の左右方向および前後方向の４辺より立ち上がり、隣接する側縁同士が連結されると共に、それぞれ互いに対向する一対の左右側壁および一対の前後側壁と、前記一対の前後側壁の各下縁に切欠形成された開口部と、前記一対の前後側壁の各上縁に設けられ、ケースを段積みしたときに、上側のケースの開口部に係合する突片と、を具備し、前記一対の左右側壁の各上縁に、ケースを段積みしたとき、上側のケースとの間に通風用の隙間を確保するように、幅広の切欠が設けられていることを特徴としている。
【０００６】
請求項２の発明のダンボールケースは、全体がフラットな長方形の底壁と、該長方形の底壁の左右方向および前後方向の４辺より立ち上がり、隣接する側縁同士が連結されると共に、それぞれ互いに対向する一対の左右側壁および一対の前後側壁と、前記一対の前後側壁の各下縁に切欠形成された開口部と、前記一対の前後側壁の各上縁に設けられ、ケースを段積みしたときに、上側のケースの開口部に係合する突片と、を具備し、前記一対の左右側壁の各上縁の高さが、ケースを段積みしたとき、上側のケースとの間に通風用の隙間を確保するように、前記一対の前後側壁の上縁の高さよりも低く設定されていることを特徴としている。
【０００７】
請求項３の発明は、請求項１または２に記載のダンボールケースであって、前記開口部と前記突片とが、前記各前後側壁の下縁と上縁の長さ方向に間隔をおいてそれぞれ複数個設けられており、前記開口部が、該開口部に前記突片が下側から係合している状態で、通風可能な隙間を突片の上側に確保できる高さ寸法に形成されていることを特徴としている。
【０００８】
請求項４の発明は、請求項１〜３のいずれか１項に記載のダンボールケースであって、展開形状が、長方形の底板と、該底板の左右方向の対向辺に第１折り線を介して連設された一対の第１側板と、前記底板の前後方向の対向辺に第２折り線を介して連設された一対の第２側板と、前記第１側板の前後方向の両側縁に第３折り線を介して連設された第３側板と、前記第２側板の前後方向の外縁に小さな間隔で並ぶ２本の平行な第４および第５折り線を介して連設された第４側板と、を有し、且つ、前記各第１〜第４側板がそれぞれ略長方形状に形成されると共に、前記第３側板の第３折り線からの突出長さが、前記底板の前後方向の対向辺の長さの略半分以下の寸法に設定された型取り形状をなしており、前記底板に対して、前記第１折り線で前記第１側板が内側に略直角に折り曲げられ、前記底板に対して、前記第２折り線で前記第２側板が内側に略直角に折り曲げられ、前記第１側板に対して、前記第３折り線で前記第３側板が内側に直角に折り曲げられることで、該第３側板が前記第２側板の内側に重ねられ、前記第２側板に対して、前記第４および第５折り線でそれぞれ同じ方向に直角に折り曲げられて、前記第４側板が内側に折り返されることにより、前記第４側板が、前記第３側板を挟んで、前記第２側板の内側に重ねられ、且つ、該第４側板の先端が前記底板の前記折り線に沿った凹部に係合され、それにより、前記底板により前記底壁が構成され、前記第１側板により前記左右側壁が構成され、前記第２側板と前記第３側板と第４側板との重ね合わせにより前記前後側壁が構成され、更に、前記第２側板と前記第４側板の連結部に前記第４および第５折り線に跨るコ字状の切れ込みが入れられ、第４側板が前記第２側板に対して折り返されることにより前記突片が形成され、前記第２側板と第３側板と第４側板とに形成された切欠が重なることで前記開口部が形成され、前記第４および第５折り線の間の部分が、前記前後側壁の上端に、前記底壁と平行な素材ダンボール板厚の略３倍の幅寸法を有した頂壁として確保されていることを特徴としている。
【０００９】
請求項５の発明は、請求項１〜４のいずれか１項に記載のダンボールケースであって、前記前後側壁の左右上端角部に外側に下り傾斜した斜めカット部が設けられ、その斜めカット部の外端の高さに前記左右側壁の前後上端の位置が揃えられていることを特徴としている。
【発明の効果】
【００１０】
請求項１の発明によれば、底壁の全体がフラットに形成されているので、最下段のケースを床面に安定性よく載置することができる。また、突片と開口部の係合により、上下段のケースが前後左右に動かないように連結されるため、崩れにくい状態で高く段積みすることができる。また、多数のケースを左右に並べながら段積みした状態で、前後側壁が１枚の壁のように並ぶので、前後側壁に印刷した模様等により陳列時のディスプレイ効果を高めることができる。また、左右側壁の上下間には、左右側壁の上縁に幅広の切欠が設けられていることにより通風用の隙間が確保されるので、左右方向への十分な通風性を維持することができ、収納した野菜や果物等の商品に新鮮な風を送り込むことができ、傷みを少なくすることができる。また、その通風用の隙間から商品を直接見て確認することもできる。
【００１１】
請求項２の発明によれば、底壁の全体がフラットに形成されているので、最下段のケースを床面に安定性よく載置することができる。また、突片と開口部の係合により、上下段のケースが前後左右に動かないように連結されるため、崩れにくい状態で高く段積みすることができる。また、多数のケースを左右に並べながら段積みした状態で、前後側壁が１枚の壁のように並ぶので、前後側壁に印刷した模様等により陳列時のディスプレイ効果を高めることができる。また、左右側壁の上下間には、左右側壁の上縁の高さが前後側壁の上縁の高さより低くなっていることにより通風用の隙間が確保されるので、左右方向への十分な通風性を維持することができ、収納した野菜や果物等の商品に新鮮な風を送り込むことができ、傷みを少なくすることができる。また、その通風用の隙間から商品を直接見て確認することもできる。また、左右側壁の上端に切欠を形成しないため、左右側壁の面積が増えることから、左右側壁の印刷面の配列によるディスプレイ効果も高めることができる。
【００１２】
請求項３の発明によれば、突片と開口部を各前後側壁に複数設けたので、より安定性よく上下段のケースを連結することができる。また、開口部には通風可能な隙間が確保されているので、その開口部を通しても風が抜けるようになる。従って、前後方向への通風性も確保することができる。
【００１３】
請求項４の発明によれば、所定形状に型取りした１枚のダンボールを折り曲げることにより、突片や開口部を備えたケースを簡単且つ安価に作ることができる。また、前後側壁は３枚のダンボールの重ね合わせで構成しているので、大きな強度を確保することができ、高い段積みにも耐えることができる。また、前後側壁を構成する第４側板の先端を、底板の凹部に係合させているので、いったん第２側板との間に第３側板を挟むように内側に折り返した第４側板が、跳ね返り等により外れないようにすることができる。また、前後側壁の上端には、底壁と平行な素材ダンボール板厚の略３倍の幅寸法を有した頂壁が確保されているので、その頂壁の上に上側のケースが載ることにより、安定性よく高く段積みすることができる。
【００１４】
請求項５の発明によれば、前後側壁の左右上端角部に外側に下り傾斜した斜めカット部を設けているので、多数のケースを左右方向に並べながら段積みした場合に、斜めカット部により前後方向に貫通する空間を確保することができる。従って、その空間を通して前後方向への通風性を確保することができる。また、その斜めカット部の外端の高さに左右側壁の前後上端の位置が揃えられているので、段積みした場合の上下ケース間の隙間を大きく確保することができ、高い通風性を維持することができる。
【発明を実施するための最良の形態】
【００１５】
以下、本発明の実施形態を図面を参照して説明する。
【００１６】
＜第１実施形態＞
図１は本発明の第１実施形態のダンボールケースの展開図、図２は同ダンボールケースの組立状態の斜視図、図３は同ダンボールケースを２段積み重ねた状態を示す斜視図、図４は同ダンボールケースの組立の最終段階時の状態を示す斜視図、図５は図１のＶ−Ｖ矢視断面図、図６は同ダンボールケースの前後側壁の縦断面図で、図６（ａ）は最終折り曲げする前の状態を示す図、図６（ｂ）は最終折り曲げをした後の状態を示す図、図７は同ダンボールケースを２段積み重ねた状態の前後方向から見た正面図、図８は図７のＶＩＩＩ−ＶＩＩＩ矢視断面図である。
【００１７】
図２および図３に示すように、このダンボールケース１は、全体がフラットな長方形の底壁２と、長方形の底壁２の左右方向および前後方向の４辺より立ち上がり、隣接する側縁同士が連結されると共に、それぞれ互いに対向する一対の左右側壁３および一対の前後側壁４と、一対の左右側壁３の各上縁に設けられ、ケース１を段積みしたとき、上側のケース１との間に通風用の隙間を確保する幅広の切欠７と、一対の前後側壁４の各下縁に切欠形成された開口部６と、一対の前後側壁４の各上縁に設けられ、ケース１を段積みしたときに、上側のケース１の開口部６に係合する突片５と、を具備している。
【００１８】
この場合、開口部６と突片５は、各前後側壁４の下縁と上縁の長さ方向に間隔をおいてそれぞれ複数個設けられており、開口部６は、図７に示すように、該開口部６に突片５が下側から係合している状態で、通風可能な隙間を突片５の上側に確保できる高さ寸法に形成されている。
【００１９】
また、前後側壁４の左右上端角部には、外側に下り傾斜した斜めカット部８が設けられ、その斜めカット部８の外端の高さに左右側壁３の前後上端の位置が揃えられ、その上端の位置から、左右側壁３の上縁の略全長にわたる幅Ｌ１で、幅広の切欠７が逆台形状に設けられている。
【００２０】
次に図１を用いて、このダンボールケース１の展開形状１Ａについて説明する。
【００２１】
このダンボールケースの展開形状１Ａは、長方形の底板１０と、その底板１０の左右方向の対向辺に第１折り線１１を介して連設された一対の第１側板２１と、底板１０の前後方向の対向辺に第２折り線１２を介して連設された一対の第２側板２２と、第１側板２１の前後方向の両側縁に第３折り線２３を介して連設された第３側板３１と、第２側板２２の前後方向の外縁に小さな間隔で並ぶ２本の平行な第４および第５折り線２４、２５を介して連設された第４側板３２と、を有している。
【００２２】
各第１〜第４側板２１、２２、３１、３２は、それぞれ略長方形状に形成されており、第３側板３１の第３折り線２３からの突出長さが、底板１０の前後方向の対向辺の長さの略半分の寸法（半分以下の寸法でも可）に設定されている。
【００２３】
また、底板１０から第２側板２２にかけての連結部分には、第２折り線１２に跨って、２つの矩形の切欠１４が左右に並んで形成されている。また、２つの切欠１４の間の、底板１０の第２折り線１２より僅かに内側の部分には、ダンボール板を突き抜けない程度（板厚の略半分程度）の切り込み線１３が第２折り線１２と平行に設けられており、その切り込み線１３と第２折り線１２との間の部分を、図５に示すように、上から押し潰すことで、ロック用の凹部１５が形成されている。ダンボール板は、板厚方向に上面板Ｔ１と下面板Ｔ２の間に波形板Ｔ３を挟んだ３層構造をなしており、上面板Ｔ１の上から波形板Ｔ３を押し潰すことで、凹部１５が形成されている。
【００２４】
また、２つの切欠１４の外側の、底板１０の第２折り線１２より内側の部分には、ダンボール板を突き抜ける小さなスロット状のロック孔（凹部）１６が設けられている。
【００２５】
また、第３側板３１の内側縁と第４側板３２の外縁にも、第２側板２２の切欠１４に対応する切欠３６、３７が設けられている。第４側板３２の第５折り線２５からの突出長さは、第２側板２２の第２折り線１２からの突出長さと略等しく設定されており、それらの寸法によって、前後側壁４の高さを規定するようになっている。
【００２６】
また、第４側板３２の２つの切欠３７の間の板片の長さは、２つの切欠３７の外側の部分よりも長目に設定されており、この長目に設定された部分が、ロック用の凹部１５に係合する突起３８となっている。同様に、第４側板３２の２つの切欠３７の間の外側の板片の先端にも、前述したロック孔１６に係合するロック用の突起３９が突設されている。
【００２７】
また、第２側板２２と第４側板３２の連結部には、第４および第５折り線２４、２５に跨るようにコ字状の切れ込み２６が入れられている。この切れ込み２６の１本の横スリットは第４折り線２４上に載っており、２本の縦スリットの基端は第５折り線２５上に位置している。また、２本の横スリットの間には、第５折り線２５は形成されていない。こうすることで、第４側板３２が第２側板２２に対して折り返されることにより、切れ込み２６の内側片３３により突片５が形成されるようになっている。
【００２８】
また、第３側板３１の切欠３６を設けた側と反対側の外側縁には、前記突片５が形成された後にできる穴に嵌まる突起３５が設けられている。また、第２側板２２、第３側板３１、第４側板３２の外周縁の所定位置には、前後側壁４の斜めカット部８を形成するための斜めカット部２２ａ、３１ａ、３２ａが設けられている。また、第１側板２１の上縁には、両端に傾斜カット部２１ｂを有する逆台形状の幅広の切欠２１ａが設けられている。
【００２９】
以上の構成のダンボール板を所定の手順で折り曲げることによって、実施形態のダンボールケース１が構成されている。即ち、図４に示すように、底板１０に対して、第１折り線１１で第１側板２１が内側に略直角に折り曲げられ、底板１０に対して、第２折り線１２で第２側板２２が内側に略直角に折り曲げられ、第１側板２１に対して、第３折り線２３で第３側板３１が内側に直角に折り曲げられることで、第３側板３１が第２側板２２の内側に重ねられ、第２側板２２に対して、第４および第５折り線２４、２５でそれぞれ同じ方向に直角に折り曲げられて、第４側板３２が内側に折り返されることにより、図６に示すように、第４側板３２が、第３側板３１を挟んで、第２側板２２の内側に重ねられている。
【００３０】
また、第４側板３２の２つの切欠３７の間の板片の先端の突起３８が、底板１０の第２折り線１２に沿った凹部１５に係合され、同様に、第４側板３２の２つの切欠３７の外側に設けたロック用の突起３９が、第２折り線１２の内側に沿って形成されたロック孔（凹部）１６に係合されており、それにより、底板１０で底壁２が構成され、第１側板２１で左右側壁３が構成され、第２側板２２と第３側板３１と第４側板３２との重ね合わせで前後側壁４が構成されている。
【００３１】
また、第２側板２２と第３側板３１と第４側板３２とに形成された切欠１４、３６、３７が重なることで、前後側壁４の下縁に開口部６が形成され、第４および第５折り線２４、２５の間の部分が、前後側壁４の上端に、底壁２と平行な素材ダンボール板厚の略３倍の幅寸法を有した頂壁２７として確保されている。
【００３２】
このように、本実施形態のダンボールケースによれば、底壁２の全体がフラットに形成されているので、図３に示すように、最下段のケース１を床面に安定性よく載置することができる。また、突片５と開口部６の係合により、上下段のケース１が前後左右に動かないように連結されるため、崩れにくい状態で高く段積みすることができる。また、多数のケース１を左右に並べながら段積みした状態で、前後側壁４が１枚の壁のように並ぶので、前後側壁４に印刷した模様等により陳列時のディスプレイ効果を高めることができる。また、左右側壁３の上下間には切欠７によって通風用の隙間が確保されるので、左右方向への十分な通風性を維持することができ、収納した野菜や果物等の商品に新鮮な風を送り込むことができ、傷みを少なくすることができる。また、その通風用の隙間から商品を直接見て確認することもできる。
【００３３】
また、突片５と開口部６を各前後側壁４に複数設けているので、より安定性よく上下段のケース１を連結することができる。また、図７、図８に示すように、開口部６には突片５が係合した状態でも、通風可能な隙間が確保されているので、その開口部６を通しても風が抜けるようになる。従って、前後方向への通風性も確保することができる。
【００３４】
また、所定形状に型取りした１枚のダンボール（展開形状１Ａ）を折り曲げることにより、突片５や開口部６を備えたケース１を簡単且つ安価に作ることができる。また、前後側壁４は３枚のダンボールの重ね合わせで構成しているので、大きな強度を確保することができ、高い段積みにも耐えることができる。また、前後側壁４の上端には、底壁２と平行な素材ダンボール板厚の略３倍の幅寸法を有した頂壁２７が確保されているので、その頂壁２７の上に上側のケース１が載ることにより、安定性よく高く段積みすることができる。また、前後側壁４を構成する第４側板３２の先端を、底板１０の凹部１５、１６（ロック孔）に係合させているので、いったん第２側板２２との間に第３側板３１を挟むように内側に折り返した第４側板３２が、跳ね返り等により外れないようにすることができる。
【００３５】
また、本実施形態では、前後側壁４の左右上端角部に外側に下り傾斜した斜めカット部８を設けているので、多数のケース１を左右方向に並べながら段積みした場合に、斜めカット部８により前後方向に貫通する空間を確保することができる。従って、その空間を通して前後方向への通風性を確保することができる。また、左右側壁３の上縁の切欠７を、左右側壁３の上縁の略全長にわたり逆台形状に設けているので、段積みした場合の上下ケース１間の隙間を最大限に大きく確保することができ、高い通風性を維持することができる。
【００３６】
＜第２実施形態＞
図９は本発明の第２実施形態のダンボールケースの展開図、図１０は同ダンボールケースの組立状態の斜視図、図１１は同ダンボールケースを２段積み重ねた状態を示す斜視図である。
【００３７】
これらの図に示すように、左右側壁３（第１側板２１）の上縁の切欠７（２１ａ）の形成幅Ｌ２は、左右側壁３の上縁の全長にわたって設定する必要は必ずしもなく、全長のうちの中央の所定範囲にわたり設定すればよい。このように切欠７の幅を狭めることにより、収容した商品の脱落を防止しながら、最大限の通風性を確保することができる。また、左右側壁３の面積が増えることにより、左右側壁の印刷面の配列によるディスプレイ効果も高めることができる。
【００３８】
＜第３実施形態＞
図１２は本発明の第３実施形態のダンボールケースの展開図、図１３は同ダンボールケースの組立状態の斜視図である。
【００３９】
これらの図に示すように、左右側壁３（第１側板２１）の上縁の切欠は設けなくてもよい。この場合は、前後側壁４の左右上端の斜めカット部８の外縁の高さに左右側壁３の上縁の高さが揃えられていることにより、左右側壁３の各上縁の高さが、前後側壁４の上縁の高さよりも低く設定されている。従って、ケースを段積みしたときに、上側のケースとの間に通風用の隙間を確保できるようになる。
【００４０】
このよに左右側壁３に切欠を形成しない場合は、左右側壁３の面積をより増やすことができるから、左右側壁３の印刷面の配列によるディスプレイ効果をより高めることができる。
【図面の簡単な説明】
【００４１】
【図１】本発明の第１実施形態のダンボールケースの展開図である。
【図２】同ダンボールケースの組立状態の斜視図である。
【図３】同ダンボールケースを２段積み重ねた状態を示す斜視図である。
【図４】同ダンボールケースの組立の最終段階時の状態を示す斜視図である。
【図５】図１のＶ−Ｖ矢視断面図である。
【図６】同ダンボールケースの前後側壁の縦断面図で、（ａ）は最終折り曲げする前の状態を示す図、（ｂ）は最終折り曲げをした後の状態を示す図である。
【図７】同ダンボールケースを２段積み重ねた状態の正面図である。
【図８】図７のＶＩＩＩ−ＶＩＩＩ矢視断面図である。
【図９】本発明の第２実施形態のダンボールケースの展開図である。
【図１０】同ダンボールケースの組立状態の斜視図である。
【図１１】同ダンボールケースを２段積み重ねた状態を示す斜視図である。
【図１２】本発明の第３実施形態のダンボールケースの展開図である。
【図１３】同ダンボールケースの組立状態の斜視図である。
【符号の説明】
【００４２】
１  ダンボールケース
２  底壁
３  左右側壁
４  前後側壁
５  突片
６  開口部
７  切欠
８  斜めカット部
１０  底板
１１  第１折り線
１２  第２折り線
１４  切欠
１５  凹部
１６  ロック孔（凹部）
２１  第１側板
２２  第２側板
２３  第３折り線
２４  第４折り線
２５  第５折り線
２６  切れ込み
２７  頂壁
３１  第３側板
３２  第４側板
３６，３７  切欠
３８，３９  突起  
【図１】
2009280266.tif 000003
【図２】
2009280266.tif 000004
【図３】
2009280266.tif 000005
【図４】
2009280266.tif 000006
【図５】
2009280266.tif 000007
【図６】
2009280266.tif 000008
【図７】
2009280266.tif 000009
【図８】
2009280266.tif 000010
【図９】
2009280266.tif 000011
【図１０】
2009280266.tif 000012
【図１１】
2009280266.tif 000013
【図１２】
2009280266.tif 000014
【図１３】
2009280266.tif 000015